(57)【要約】【課題】需要者のニーズに合わせて、様々なメーカーのバスユニットを設置するリフォームを容易に行うことに特に適したバスユニット設置用の床構造を提供する。【解決手段】ユニット建物Ｕの床梁２のフランジ及びウェブから形成される凹部２Ａに嵌合して固定される受け部材７Ａ，７Ａ，７Ｂと、受け部材７Ａ，７Ａ，７Ｂから垂下して設けられる吊り部材８，・・・と、吊り部材８，・・・により床梁２，・・・よりも低い位置に略水平に吊設される床支持部材９Ａ，９Ｂと、床支持部材９Ａ，９Ｂの上面に敷設されるバスユニット設置用の床材１３とから構成される。【選択図】図１９
2010159602.tif 000002
【特許請求の範囲】
【請求項１】
建物の床梁よりも低い位置にバスユニットを設置するためのバスユニット設置用の床構造であって、
前記建物の前記床梁のフランジ及びウェブから形成される凹部に嵌合して固定される受け部材と、該受け部材から垂下して設けられる吊り部材と、該吊り部材により前記床梁よりも低い位置に略水平に吊設されるバスユニット支持材とから成り、
前記受け部材は、鉛直部と水平部とを有する断面Ｌ字形の転び変形防止金具の前記鉛直部からブラケット部が略水平方向に突出して設けられて成り、前記鉛直部が前記床梁のウェブに締結部材により固定されているとともに前記水平部が前記床梁の下フランジに直接又はスペーサーを介して当接されていることを特徴とするバスユニット設置用の床構造。
【請求項２】
前記バスユニット支持材は、前記吊り部材に吊設される床支持部材と、該床支持部材の上面に敷設されるバスユニット設置用の床材とから成ることを特徴とする請求項１に記載のバスユニット設置用の床構造。
【請求項３】
前記床梁のフランジと前記受け部材の前記ブラケット部との間には、隙間調整用のスペーサーが設けられていることを特徴とする請求項１又は２に記載のバスユニット設置用の床構造。
【請求項４】
前記吊り部材は、上側水平部と垂下部と下側水平部と側面補強部とを有する断面Ｚ字形の部材であることを特徴とする請求項１乃至３のいずれか１項に記載のバスユニット設置用の床構造。
【請求項５】
前記受け部材の前記ブラケット部は、門形断面とされており、前記吊り部材の前記上側水平部と締結部材により固定されていることを特徴とする請求項４に記載のバスユニット設置用の床構造。
【請求項６】
前記床支持部材は、複数の角形鋼管から成り、これらの角形鋼管の端部は、上側に切り欠きがそれぞれ設けられており、前記吊り部材の前記下側水平部と締結部材により固定されていることを特徴とする請求項４に記載のバスユニット設置用の床構造。
【請求項７】
前記床支持部材を構成する前記複数の角形鋼管間は、所要箇所が横桟で接合されていることを特徴とする請求項６に記載のバスユニット設置用の床構造。
【請求項８】
前記受け部材、前記吊り部材及び前記バスユニット支持材のそれぞれの間の隙間には、断熱材が設けられていることを特徴とする請求項１乃至７のいずれか１項に記載のバスユニット設置用の床構造。
【請求項９】
請求項１乃至８のいずれか１項に記載のバスユニット設置用の床構造を備えていることを特徴とする建物。
【発明の詳細な説明】
【技術分野】
【０００１】
本発明は、バスユニットを設置するためのバスユニット設置用の床構造及び同床構造を備えた建物に関するものである。
【背景技術】
【０００２】
従来から、複数の建物ユニットを組み付けて成るユニット建物は、施工性が良く、高い耐震強度を有するなどの様々な利点から多く実施されている。
【０００３】
また、このユニット建物において、バスユニットを設置するには、床面を略同一レベルとしてバリアフリーに近くするために、設置対象となる建物ユニットの床梁よりも低い位置に、バスユニット設置用の床を構成することが多くなされている（例えば、特許文献１等を参照）。
【先行技術文献】
【特許文献】
【０００４】
【特許文献１】特開平０８−３２６１６２号公報
【発明の概要】
【発明が解決しようとする課題】
【０００５】
しかしながら、こうした従来のバスユニット設置用の床構造は、予め工場などで生産されるバスユニット設置専用の建物ユニットの一部として溶接などにより固着した構成とされていた。
【０００６】
このため、需要者のニーズに合わせて、様々なメーカーのバスユニットを設置するリフォームを容易に行うことが困難であった。
【０００７】
そこで、本発明は、需要者のニーズに合わせて、様々なメーカーのバスユニットを設置するリフォームを容易に行うことに特に適したバスユニット設置用の床構造及び同床構造を備えた建物を提供することを目的としている。
【課題を解決するための手段】
【０００８】
前記目的を達成するために、本発明のバスユニット設置用の床構造は、建物の床梁よりも低い位置にバスユニットを設置するためのバスユニット設置用の床構造であって、前記建物の前記床梁のフランジ及びウェブから形成される凹部に嵌合して固定される受け部材と、該受け部材から垂下して設けられる吊り部材と、該吊り部材により前記床梁よりも低い位置に略水平に吊設されるバスユニット支持材とから成り、前記受け部材は、鉛直部と水平部とを有する断面Ｌ字形の転び変形防止金具の前記鉛直部からブラケット部が略水平方向に突出して設けられて成り、前記鉛直部が前記床梁のウェブに締結部材により固定されているとともに前記水平部が前記床梁の下フランジに直接又はスペーサーを介して当接されていることを特徴とする。
【０００９】
ここで、前記バスユニット支持材は、前記吊り部材に吊設される床支持部材と、該床支持部材の上面に敷設されるバスユニット設置用の床材とから成るとよい。
【００１０】
また、前記床梁のフランジと前記受け部材の前記ブラケット部との間には、隙間調整用のスペーサーが設けられているとよい。
【００１１】
さらに、前記吊り部材は、上側水平部と垂下部と下側水平部と側面補強部とを有する断面Ｚ字形の部材であるとよい。
【００１２】
また、前記受け部材の前記ブラケット部は、門形断面とされており、前記吊り部材の前記上側水平部と締結部材により固定されているとよい。
【００１３】
さらに、前記床支持部材は、複数の角形鋼管から成り、これらの角形鋼管の端部は、上側に切り欠きがそれぞれ設けられており、前記吊り部材の前記下側水平部と締結部材により固定されているとよい。
【００１４】
また、前記床支持部材を構成する前記複数の角形鋼管間は、所要箇所が横桟で接合されているとよい。
【００１５】
さらに、前記受け部材、前記吊り部材及び前記バスユニット支持材のそれぞれの間の隙間には、断熱材が設けられているとよい。
【００１６】
本発明の建物は、上記したいずれかのバスユニット設置用の床構造を備えていることを特徴とする。
【発明の効果】
【００１７】
このような本発明のバスユニット設置用の床構造は、建物の床梁よりも低い位置にバスユニットを設置するためのバスユニット設置用の床構造であって、建物の床梁のフランジ及びウェブから形成される凹部に嵌合して固定される受け部材と、受け部材から垂下して設けられる吊り部材と、吊り部材により床梁よりも低い位置に略水平に吊設されるバスユニット支持材とから成り、受け部材は、鉛直部と水平部とを有する断面Ｌ字形の転び変形防止金具の鉛直部からブラケット部が略水平方向に突出して設けられて成り、鉛直部が床梁のウェブに締結部材により固定されているとともに水平部が床梁の下フランジに直接又はスペーサーを介して当接された構成とされている。
【００１８】
こうした構成なので、床梁のフランジ及びウェブから形成される凹部を利用して、様々な規格のバスユニットを設置可能な構造を簡易に構築可能なため、需要者のニーズに合わせて、様々なメーカーのバスユニットを設置するリフォームを容易に行うことができる。
【００１９】
勿論、新築の建物に適用して実施することもできる。
【００２０】
そのうえ、受け部材が床梁の凹部に嵌合され、受け部材を構成する転び変形防止金具の鉛直部と床梁のウェブとが締結部材により固定されているとともに転び変形防止金具の水平部が床梁の下フランジに直接またはスペーサーを介して当接しているため、バスユニット支持材の上面にバスユニットを設置しても、転び変形防止金具の鉛直部と床梁のウェブとがバスユニットの荷重により倒れてしまう所謂転び変形を防止することができ、強度及び耐久性に優れる。
【００２１】
ここで、バスユニット支持材は、吊り部材に吊設される床支持部材と、床支持部材の上面に敷設されるバスユニット設置用の床材とから成る場合は、バスユニットを安定して設置することができる。
【００２２】
また、床梁のフランジと受け部材のブラケット部との間には、隙間調整用のスペーサーが設けられている場合は、受け部材を床梁の凹部内にしっかりとガタツキなく嵌め込み、床梁のフランジに過大な荷重がかかることを防止することができるとともに、転び変形防止金具の鉛直部と水平部を、それぞれ床梁のウェブと下フランジに確実に当接させることができる。
【００２３】
さらに、吊り部材は、上側水平部と垂下部と下側水平部と側面補強部とを有する断面Ｚ字形の部材である場合は、吊り部材を安価且つ簡易な構造とすることができる。
【００２４】
また、受け部材のブラケット部は、門形断面とされており、吊り部材の上側水平部と締結部材により固定されている場合は、開口した下部から受け部材のブラケット部と吊り部材の上側水平部との締結部材による接合を行えるため、受け部材と吊り部材との接合作業の施工性がよい。
【００２５】
さらに、床支持部材は、複数の角形鋼管から成り、これらの角形鋼管の端部は、上側に切り欠きがそれぞれ設けられており、吊り部材の下側水平部と締結部材により固定されている場合は、角形鋼管から成る床支持部材の端部の切り欠きから床支持部材と吊り部材の下側水平部との締結部材による接合を行えるため、吊り部材と床支持部材との接合作業の施工性がよい。
【００２６】
また、床支持部材を構成する複数の角形鋼管間は、所要箇所が横桟で接合されている場合は、荷重が大きくかかる箇所などの補強が容易に行える。
【００２７】
さらに、受け部材、吊り部材及びバスユニット支持材のそれぞれの間の隙間には、断熱材が設けられている場合は、設置されるバスユニット内の熱を極力外部に逃さない断熱構造とすることができる。
【００２８】
このような本発明の建物は、上記したいずれかのバスユニット設置用の床構造を備えた構成とされているので、上記した効果を奏する建物とすることができる。
【図面の簡単な説明】
【００２９】
【図１】実施例のバスユニット設置用の床構造を備えたユニット建物の概略構成を示す説明図である。
【図２】実施例のユニット建物で用いる建物ユニットの概略構成を示す斜視図である。
【図３】（ａ），（ｂ）は、床小梁の切断作業を示す説明図である。
【図４】実施例のバスユニット設置用の床構造を構築するに際して、１階の建物ユニットの床小梁を切除した段階を示す斜視図である。
【図５】実施例のバスユニット設置用の床構造の主な構成部材の分解斜視図である。
【図６】実施例のバスユニット設置用の床構造を構築するに際して、床梁の凹部に受け部材を嵌め込み固定した段階を示す斜視図である。
【図７】（ａ）は、長辺側の床梁の凹部に嵌め込み固定される受け部材の斜視図であり、（ｂ）は、同受け部材の底面図である。
【図８】（ａ）は、短辺側の床梁の凹部に嵌め込み固定される受け部材の斜視図であり、（ｂ）は、同受け部材の底面図である。
【図９】図６におけるＡ−Ａ線矢視断面図である。
【図１０】実施例のバスユニット設置用の床構造を構築するに際して、受け部材のブラケット部に吊り部材を設けた段階を示す斜視図である。
【図１１】（ａ）は、吊り部材の斜視図であり、（ｂ）は、同吊り部材の側面図である。
【図１２】図１０におけるＢ−Ｂ線矢視断面図である。
【図１３】実施例のバスユニット設置用の床構造を構築するに際して、吊り部材に床支持部材を架設した段階を示す斜視図である。
【図１４】（ａ）は、建物ユニットの中央側に設けられる床支持部材の斜視図であり、（ｂ）は、同床支持部材の平面図である。
【図１５】（ａ）は、建物ユニットの端部近傍側に設けられる床支持部材の斜視図であり、（ｂ）は、同床支持部材の平面図である。
【図１６】図１３におけるＣ−Ｃ線矢視断面図である。
【図１７】実施例のバスユニット設置用の床構造を構築するに際して、各構成部材間の隙間に断熱材を設けた段階を示す斜視図である。
【図１８】実施例のバスユニット設置用の床構造が仕上がった状態を示す斜視図である。
【図１９】図１８におけるＤ−Ｄ線矢視断面図である。
【発明を実施するための形態】
【００３０】
以下、本発明を実施するための形態を、図面に示す実施例に基づいて説明する。
【実施例】
【００３１】
図１は、本実施例のバスユニット設置用の床構造Ｙを備えた建物としてのユニット建物Ｕの概略構成を示している。
【００３２】
まず、このようなユニット建物Ｕは、地盤に打設された基礎Ａの上に、１階と２階の建物ユニット１，１を組み付けて構成されている。
【００３３】
ここで、建物ユニット１は、図２に示したように、４本の溝形鋼の床梁２，・・・と４本の角形鋼管の柱３，・・・と４本の天井梁４，・・・とをそれぞれの端部間を溶接などにより接合して箱形に形成した汎用の建物ユニットである。
【００３４】
また、長辺側の床梁２，２間には、各端部に溝形鋼の継ぎ手５をそれぞれ介して、４本の角形鋼管の床小梁６，・・・が略等間隔で架設されている。
【００３５】
そして、本実施例のバスユニット設置用の床構造Ｙは、１階の建物ユニット１の略右側半分に実施されており、この１階の建物ユニット１の床梁２，・・・よりも低い位置にバスユニット設置用の床面が位置する構成とされている。
【００３６】
これにより、このバスユニット設置用の床構造ＹへバスユニットＢを嵌め込み設置すると、１階の建物ユニット１の床面とバスユニットＢの床面とは略同一のレベルとなり、バリアフリーに近くなる。
【００３７】
本実施例では、バスユニット設置用の床構造Ｙを、リフォームに適用した場合の構築方法について主に説明する。
【００３８】
なお、説明を簡単にするために、ユニット建物Ｕの床材や壁材などの図示は省略した。
【００３９】
はじめに、１階の建物ユニット１について、右端の床小梁６のみを、図３に示したように、電動ノコギリＤにより、継ぎ手５の部分で切断し取り除くと、図４に示したように、床梁２のフランジ２ｂ，２ｂの上面には、継ぎ手５のフランジ５ａ，５ａが残る。
【００４０】
本実施例のバスユニット設置用の床構造Ｙでは、こうして形成された床穴Ｃの部分に、図５に示したように、長辺側の床梁２，２のフランジ２ｂ，２ｂ及びウェブ２ａから形成される凹部２Ａにそれぞれ嵌合して固定される受け部材７Ａ，７Ａと、短辺側の床梁２のフランジ２ｂ，２ｂ及びウェブ２ａから形成される凹部２Ａに嵌合して固定される受け部材７Ｂと、これらの受け部材７Ａ，７Ａ，７Ｂから垂下して設けられる１０個の吊り部材８，・・・と、これらの吊り部材８，・・・により床梁２，・・・よりも低い位置に略水平に吊設されるバスユニット支持材としての床支持部材９Ａ，９Ｂとが、締結部材としてのボルト及びナットにより接合される。
【００４１】
まず、この床穴Ｃにおいて、図６に示したように、長辺側の床梁２，２の凹部２Ａ，２Ａに受け部材７Ａ，７Ａをそれぞれ嵌め込み、短辺側の床梁２の凹部２Ａに受け部材７Ｂを嵌め込む。
【００４２】
ここで、この受け部材７Ａは、図７に示したように、鉛直部７１ａと水平部７１ｂとを有する断面Ｌ字形の転び変形防止金具７１の鉛直部７１ａの左右端部近傍から２個ずつの計４個の門形断面のブラケット部７２が略水平方向に突出して設けられて成る。
【００４３】
また、この受け部材７Ｂは、図８に示したように、鉛直部７１ａと水平部７１ｂとを有する断面Ｌ字形の転び変形防止金具７１の鉛直部７１ａの左右端部から１個ずつの計２個の門形断面のブラケット部７２が略水平方向に突出して設けられて成る。
【００４４】
そして、床梁２，・・・内に嵌め込まれた受け部材７Ａ，７Ａ，７Ｂは、床梁２のウェブ２ａと鉛直部７１ａとがボルト及びナットにより接合されることで固定される。
【００４５】
さらに、受け部材７Ａ，７Ｂは、その下面に、ブラケット部７２が設けられた位置に残された継ぎ手５のフランジ５ａと同じ厚さのスペーサー１０がそれぞれ設けられ、ブラケット７２の上面には、隙間調整用のスペーサー１１がそれぞれ設けられており、図９に示したように、床梁２の凹部２Ａ内にガタツキなく嵌め込まれている。
【００４６】
続いて、受け部材７Ａ，７Ｂのブラケット部７２，・・・から、図１０に示したように、吊り部材８がそれぞれ垂下して設けられる。
【００４７】
ここで、この吊り部材８は、図１１に示したように、上側水平部８１と、垂下部８２と、下側水平部８３と、これらの両側面を補強する側面補強部８４，８４とから成る断面Ｚ字形の部材である。
【００４８】
そして、受け部材７Ａ，７Ｂのブラケット部７２，・・・の上面と吊り部材８の上側水平部８１とが、図１２に示したように、ボルト及びナットにより接合されることでそれぞれ固定される。
【００４９】
続いて、床支持部材９Ａ，９Ｂが、図１３に示したように、吊り部材８，・・・により、床梁２，・・・よりも低い位置に略水平に吊設される。
【００５０】
ここで、この床支持部材９Ａは、図１４に示したように、２本の角形鋼管９１，９１間を両端部近傍及び中央部の３箇所で横桟９２により接合されて一体物とされている。
【００５１】
また、床支持部材９Ａを構成する角形鋼管９１の端部９１ａには、上側に切り欠き９３がそれぞれ設けられている。
【００５２】
さらに、この床支持部材９Ｂは、図１５に示したように、床支持部材９Ａの片側の角形鋼管９１の側面に、２つの角形鋼管の端部９１ａ，９１ａが追加して設けられていることのみが異なる。
【００５３】
そして、床支持部材９Ａ，９Ｂの端部９１ａの切り欠き９３の下側に位置する面と吊り部材８の下側水平部８３とが、図１６に示したように、ボルト及びナットにより接合されることでそれぞれ固定される。
【００５４】
続いて、受け部材７Ａ，７Ａ，７Ｂと、吊り部材８，・・・と、床支持部材９Ａ，９Ｂとの隙間に、図１７に示したように、フェノールフォームなどの断熱材１２を設ける。
【００５５】
なお、断熱材１２は、図示省略の受け材により支持されている。
【００５６】
最後に、床支持部材９Ａ，９Ｂの上面に、図１８及び図１９に示したように、合板などから成るバスユニット支持材としてのバスユニット設置用の床材１３を敷設すると、本実施例のバスユニット設置用の床構造Ｙが仕上がる。
【００５７】
次に、本実施例の作用効果について説明する。
【００５８】
このような本実施例のバスユニット設置用の床構造Ｙは、建物としてのユニット建物Ｕの床梁２，・・・よりも低い位置にバスユニットＢを設置するためのバスユニット設置用の床構造である。
【００５９】
そして、ユニット建物Ｕの床梁２のフランジ２ｂ，２ｂ及びウェブ２ａから形成される凹部２Ａに嵌合して固定される受け部材７Ａ，７Ａ，７Ｂと、受け部材７Ａ，７Ａ，７Ｂから垂下して設けられる吊り部材８，・・・と、吊り部材８，・・・により床梁２，・・・よりも低い位置に略水平に吊設されるバスユニット支持材としての床支持部材９Ａ，９Ｂと、床支持部材９Ａ，９Ｂの上面に敷設されるバスユニット支持材としてのバスユニット設置用の床材１３とから成る。
【００６０】
さらに、受け部材７Ａ，７Ｂは、鉛直部７１ａと水平部７１ｂとを有する断面Ｌ字形の転び変形防止金具７１の鉛直部７１ａからブラケット部７２が略水平方向に突出して設けられて成り、鉛直部７１ａが床梁２のウェブ２ａに締結部材としてのボルト及びナットにより固定されているとともに水平部７１ｂが床梁２の下フランジ２ｂにスペーサー１０を介して当接された構成とされている。
【００６１】
こうした構成なので、床梁２のフランジ２ｂ，２ｂ及びウェブ２ａから形成される凹部２Ａを利用して、様々な規格のバスユニットを設置可能な構造を簡易に構築可能なため、需要者のニーズに合わせて、様々なメーカーのバスユニットＢを設置するリフォームを容易に行うことができる。
【００６２】
勿論、新築の建物に適用して実施することもできる。
【００６３】
そのうえ、受け部材７Ａ，７Ａ，７Ｂが床梁２の凹部２Ａに嵌合され、受け部材７Ａ，７Ｂを構成する転び変形防止金具７１の鉛直部７１ａと床梁２のウェブ２ａとが締結部材としてのボルト及びナットにより固定されているとともに転び変形防止金具７１の水平部７１ｂが床梁２の下フランジ２ｂにスペーサー１０を介して当接しているため、バスユニット支持材としてのバスユニット設置用の床材１３の上面にバスユニットＢを設置しても、転び変形防止金具７１の鉛直部７１ａと床梁２のウェブ２ａとがバスユニットＢの荷重により倒れてしまう所謂転び変形を防止することができ、強度及び耐久性に優れる。
【００６４】
さらに、本実施例のバスユニット設置用の床構造Ｙは、汎用の建物ユニット１に適用できるので、従来では困難であったバスユニットＢの位置を移動するリフォームなども比較的容易に行うことができる。
【００６５】
ここで、バスユニット支持材は、吊り部材８，・・・に吊設される床支持部材９Ａ，９Ｂと、床支持部材９Ａ，９Ｂの上面に敷設されるバスユニット設置用の床材１３とから成るので、バスユニットＢを安定して設置することができる。
【００６６】
また、受け部材７Ａ，７Ｂは、その下面に、ブラケット部７２が設けられた位置に残された継ぎ手５のフランジ５ａと同じ厚さのスペーサー１０がそれぞれ設けられ、ブラケット部７２の上面には、隙間調整用のスペーサー１１がそれぞれ設けられているので、受け部材７Ａ，７Ｂを床梁２の凹部２Ａ内にしっかりとガタツキなく嵌め込み、床梁２のフランジ２ｂに過大な荷重がかかることを防止することができるとともに、転び変形防止金具７１の鉛直部７１ａと水平部７１ｂを、それぞれ床梁２のウェブ２ａと下フランジ２ｂに確実に当接させることができる。
【００６７】
さらに、吊り部材８は、上側水平部８１と垂下部８２と下側水平部８３と側面補強部８４，８４とを有する断面Ｚ字形の部材であるので、安価且つ簡易な構造とすることができる。
【００６８】
また、受け部材７Ａ，７Ｂのブラケット部７２は、門形断面とされており、吊り部材８の上側水平部８１と締結部材としてのボルト及びナットにより固定されているので、開口した下部から受け部材７Ａ，７Ｂのブラケット部７２と吊り部材８の上側水平部８１とのボルト及びナットによる接合を行えるため、受け部材７Ａ，７Ｂと吊り部材８，・・・との接合作業の施工性がよい。
【００６９】
さらに、床支持部材９Ａ，９Ｂは、主要部が２本の角形鋼管９１，９１から成り、これらの角形鋼管９１，９１の端部９１ａ，・・・は、上側に切り欠き９３がそれぞれ設けられており、吊り部材８の下側水平部８３と締結部材としてのボルト及びナットによりそれぞれ固定されている。
【００７０】
このため、角形鋼管９１，９１から成る床支持部材９Ａ，９Ｂの端部９１ａ，・・・の切り欠き９３，・・・から床支持部材９Ａ，９Ｂと吊り部材８，・・・の下側水平部８３，・・・とのボルト及びナットによる接合を行えるため、吊り部材８，・・・と床支持部材９Ａ，９Ｂとの接合作業の施工性がよい。
【００７１】
また、床支持部材９Ａ，９Ｂを構成する２本の角形鋼管９１，９１間は、両端部近傍及び中央部の３箇所が横桟９２で接合されているので、荷重が大きくかかる箇所の補強が容易に行える。
【００７２】
さらに、受け部材７Ａ，７Ａ，７Ｂ、吊り部材８，・・・、バスユニット支持材としての床支持部材９Ａ，９Ｂ及びバスユニット設置用の床材１３のそれぞれの間の隙間には、断熱材１２が設けられているので、設置されるバスユニットＢ内の熱を極力外部に逃さない断熱構造とすることができる。
【００７３】
このような本実施例の建物としてのユニット建物Ｕは、上記したバスユニット設置用の床構造Ｙを備えた構成とされているので、上記した作用効果を奏する建物とすることができる。
【００７４】
以上、図面を参照して、本発明を実施するための形態を実施例に基づいて詳述してきたが、具体的な構成は、上記した実施例に限らず、本発明の要旨を逸脱しない程度の設計的変更は、本発明に含まれる。
【００７５】
例えば、上記した実施例では、説明を簡単にするために、建物としてのユニット建物Ｕを２つの建物ユニット１，１を組み付けた単純な構造としたが、これに限定されず、平屋建てやより複雑な構造で実施してもよい。
【００７６】
また、上記した実施例では、建物としてユニット建物Ｕで実施したが、これに限定されず、建物の床梁が溝形鋼やＨ形鋼などのフランジとウェブで形成される凹部を有する建物であれば実施できる。
【００７７】
さらに、上記した実施例では、リフォームの構成について主に説明したが、本発明のバスユニット設置用の床構造を新築の建物に適用する場合は、１階の建物ユニット１の右端の床小梁６は、初めから付けておく必要がなく、継ぎ手５の５ａ，５ａは残らないため、スペーサー１０は設けずに、隙間調整用のスペーサー１１の厚さを大きくして対応すればよい。
【００７８】
また、上記した実施例では、バスユニット設置用の床構造Ｙを、１階の部分に設けて実施したが、これに限定されず、２階以上の部分に設けて実施してもよい。
【００７９】
さらに、上記した実施例では、バスユニット設置用の床構造Ｙの一部として、建物ユニット１の既存の床小梁６を利用したが、適用するバスユニットＢの規格が合わない場合などは、別途の床小梁を設けて実施してもよい。
【符号の説明】
【００８０】
Ｕ      ユニット建物（建物）
Ｙ      バスユニット設置用の床構造
Ｂ      バスユニット
１      建物ユニット
２      床梁
２ａ    床梁のウェブ
２ｂ    床梁のフランジ
２Ａ    凹部
３      柱
４      天井梁
５      継ぎ手
５ａ    継ぎ手のフランジ
６      床小梁
７Ａ    受け部材
７Ｂ    受け部材
７１    転び変形防止金具
７１ａ  鉛直部
７１ｂ  水平部
７２    ブラケット部
８      吊り部材
８１    上側水平部
８２    垂下部
８３    下側水平部
８４    側面補強部
９Ａ    床支持部材（バスユニット支持材）
９Ｂ    床支持部材（バスユニット支持材）
９１    角形鋼管
９１ａ  角形鋼管の端部
９２    横桟
９３    切り欠き
１０    スペーサー
１１    隙間調整用のスペーサー
１２    断熱材
１３    バスユニット設置用の床材（バスユニット支持材）
【図１】
2010159602.tif 000003
【図２】
2010159602.tif 000004
【図３】
2010159602.tif 000005
【図４】
2010159602.tif 000006
【図５】
2010159602.tif 000007
【図６】
2010159602.tif 000008
【図７】
2010159602.tif 000009
【図８】
2010159602.tif 000010
【図９】
2010159602.tif 000011
【図１０】
2010159602.tif 000012
【図１１】
2010159602.tif 000013
【図１２】
2010159602.tif 000014
【図１３】
2010159602.tif 000015
【図１４】
2010159602.tif 000016
【図１５】
2010159602.tif 000017
【図１６】
2010159602.tif 000018
【図１７】
2010159602.tif 000019
【図１８】
2010159602.tif 000020
【図１９】
2010159602.tif 000021